(57)【要約】本発明は、少なくとも可視波長範囲の光に対して透明な基板上に光学フィルタ構造が塗布される方法に関する。こうした方法では、接着剤（３）が基板（１）上に塗布され、その後、ベースフィルム（４）およびベースフィルム（４）上に塗布された写真乳剤層（５）を備える写真フィルムが接着剤に接触させられる。光学フィルタ構造が、露光、現像、および定着によって写真乳剤層（５）型押しされる。写真フィルムが、接着剤（３）に接触させられるフィルムの面は、写真乳剤層（５）を担持する面である。接着剤（３）は、その後、ローラ（６）を、ローラ（６）の指定された接触圧および指定された送り速度でフィルムを横切って回転させることによって、フィルムと基板（１）との間で広げられる。基板（１）と写真乳剤層（５）との間の永久的な結合が、その後、接着剤（３）の硬化によって確立される。さらなるステップでは、ベースフィルム（４）は、写真乳剤層（５）から熱的に分離され、除去されてもよい。
2012526294.tif 000002
【特許請求の範囲】
【請求項１】
少なくとも可視波長範囲の光に対して透明な基板（１）上に光学フィルタ構造を塗布するための方法において、
接着剤（３）を前記基板（１）上に塗布する工程と、
写真フィルムであって、ベースフィルム（４）およびベースフィルム（４）上に塗布された写真乳剤層（５）を備え、かつ、前記光学フィルタ構造が、露光、現像、および定着によって前記写真乳剤層（５）に型押しされている、写真フィルムを、前記接着剤（３）に接触させ、それにより、前記接着剤が、前記写真乳剤層（５）を担持する前記フィルムの面に接触する、前記写真フィルムを前記接着剤（３）に接触させる工程と、
ローラ（６）の指定された接触圧および指定された送り速度で前記ローラ（６）を前記フィルムを横切る方式にて回転させることによって、前記フィルムが前記基板（１）に押し付けられるように、前記接着剤（３）を、前記フィルムと前記基板（１）との間に伸ばす、前記ローラ（６）を回転させる工程と、
前記基板（１）と前記写真乳剤層（５）との間の永久的な結合を与えるために、前記接着剤（３）の硬化する工程とを備える、方法。
【請求項２】
前記ベースフィルム（４）は、前記硬化後に、前記写真乳剤層（５）から熱的に分離され、除去される、請求項１に記載の方法。
【請求項３】
前記ベースフィルム（４）および前記写真乳剤層（５）の前記熱分離のために、前記ベースフィルム（４）に向かって熱を放射する表面を有する加熱手段が、指定された距離でかつ指定された速度で前記ベースフィルム（４）を横切って移動する、請求項２に記載の方法。
【請求項４】
前記写真乳剤層（５）は、前記ベースフィルム（４）の除去後に、保護コーティングを備える、請求項２または３のいずれか１項に記載の方法。
【請求項５】
前記ローラ（６）は、０．５ｍｍ／ｓと２０ｍｍ／ｓとの間の送り速度で移動する、請求項１〜４のいずれか１項に記載の方法。
【請求項６】
前記接触圧は、１ｋＰａと２０ｋＰａとの間で選択される、請求項１〜５のいずれか１項に記載の方法。
【請求項７】
前記写真フィルムが前記接着剤（３）に接触させられる前に、液体が前記写真乳剤層（５）上にかけられ、前記写真乳剤層（５）内に存在する孔または開口に貫入し、前記孔または開口を少なくとも部分的に閉じる、請求項１〜６のいずれか１項に記載の方法。
【請求項８】
使用される前記液体は浸漬油である、請求項７に記載の方法。
【請求項９】
使用される前記接着剤（３）は、ＵＶ光による照射下で硬化する接着剤、好適にはモノマーである、請求項１〜８のいずれか１項に記載の方法。
【請求項１０】
使用される前記光学フィルタ構造は３次元ディスプレイ用のバリアフィルタである、請求項１〜９のいずれか１項に記載の方法。
【発明の詳細な説明】
【技術分野】
【０００１】
本発明は、少なくとも可視波長範囲の光に対して透明な基板上に光学フィルタ構造を塗布するための方法に関する。
【背景技術】
【０００２】
光軸に垂直な複雑な構造を有するフィルタは、光学部品の多くの分野で重要な役割を果たす。たとえば、いわゆるバリアフィルタは、スクリーン上に表示される映像コンテンツが相応して処理されていれば、ディスプレイスクリーンの観察者が、さらなる補助なしで３次元視覚を持つことを可能にするために使用される。こうしたフィルタ構造は、たとえば、指定された複雑なパターンで配列された、不透明であるエリア、および、可視波長範囲、すなわち約４００ｎｍ〜８００ｎｍの波長範囲の光に対して透明であるエリアの、光軸に垂直なアレイからなりうる。指定された波長または波長範囲に対してだけ透明であるエリアは、まさにグリッド構造として実現可能であるが、グリッド構造は、３次元プレゼンテーションの実施態様に関して使用されることが少ない。
【０００３】
これらのフィルタ構造は、一般に、光に対して透明な基板上に塗布される。ガラスまたは適したプラスチックは、好適な基板材料の例である。
第１に、構造は、上部でコールド積層フィルムによって積層される。このために、コールド積層シートは、その底部面に接着性コーティングを設けられ、その底部面は、ガラス基板に結合される。コールド積層シートの上部面もまた、こうした接着性コーティングを有する。上部面には、次のステップとして、写真フィルムが積層される。あるいは、単一接着性コーティングだけを使用して、キャリアシートをなしで済ますことができる。
【０００４】
こうした写真フィルムは、概して、たとえばセルロースまたはポリエステルから作られたベースフィルム、および、実際には懸濁液である写真乳剤層として知られる、光に最初は感度がある第１の層、すなわち、液体と液体内に分散された固形物の混合物、正確に言うと、ゼラチン内に微細分散された結晶のスラリを備える。通常、結晶は、あるハロゲン化銀、すなわち、塩化銀、臭化銀、またはヨウ化銀である。写真乳剤層は、その後、複雑な光学フィルタ構造に対応するパターンがフィルム上に画像形成されるように光に露光される。これは、たとえば事前作製されたマスクを使用して行われうる。その後、写真フィルタは、一般的でありまた従来技術において長い間よく知られているように、現像され、定着されて、写真乳剤層内に型押しされた光学フィルタ構造を永久的に耐光性にさせる。
【０００５】
次のステップでは、写真乳剤層を担持するフィルムの面は、コールド積層シートの接着性コーティングに積層される。そのため、ガラス−接着剤−コールド積層シート−接着剤−写真乳剤層−ベースフィルムの層システムが得られる。
【０００６】
２つの積層作業は、一般に、塵粒子、フラフ、またはたとえば気泡などの他の欠陥が写真乳剤層に埋め込まれ、フィルタ構造の光学作用の目立った減損をもたらす可能性があるというリスクを伴う。最悪の場合、これは、フィルタを使用不能にする。特に大面積写真フィルムの場合、一般にローラまたはシリンダによって、積層するために印加されなければならない５０ｋＰａと７０ｋＰａとの間の圧力は、特に回転方向へのフィルムのわずかの歪または引張り歪をもたらす。周期性を特徴とする３次元ディスプレイ用のスクリーンのためのフィルタ構造の場合、これは、周期性の精度を損なうことになり、こうしたフィルタを使用不能にする可能性がある。この理由は、光学フィルタ構造が、ディスプレイシステム、概して液晶ディスプレイ（ＬＣＤ）のピクセル間隔に厳密に整合しなければならないからである。
【０００７】
上述した作製方法は、これらの光学フィルタ構造のいくつかが基板上に同時に塗布される場合にも問題を引起す。より小さな構造が、たとえば移動体電話、ナビゲーションシステム、または可搬型ゲームコンソールのディスプレイスクリーンのために使用されうる。いくつかのフィルタ構造が、たとえばガラス基板上に塗布される場合、異なるフィルタ構造が分離される必要がある、すなわち、共通ガラス基板が、全ての他の層と共に、ベースフィルムからコールド積層シート、下側の接着性コーティングまで切断されなければならない。これは、適したカーバイド先端ガラスカッタによって行われうるが、たびたび、これは、予見不能の不規則な破断エッジを生じるため、既に製造された光学フィルタ全体が廃棄されなければならない。ときどき、層システムは、全体としてクリーンな分離を妨げ、また、鋭利エッジの割れ目も生じ、製品をさらなる使用のために適さなくするだけでなく、損傷の深刻なリスクも伴う。たとえ手袋をはめていても、オペレータが、頻繁に自分の指を切ることが知られている。
【０００８】
代替の作製方法としてガラス表面上に光学フィルタ構造を印刷することは、光学的に平滑なガラス表面にフィルタ構造が適切に付着しないため、うまくいかない。スクリーン印刷プロセスは、必要な小ささおよび精度のいずれの光学構造も生成しないことになる。構造のエッジおよび角は、硬化または熱定着の前の粘性ガラスインクの表面張力のために流れ出ることになる。
【発明の概要】
【発明が解決しようとする課題】
【０００９】
したがって、本発明の問題は、基板上への光学フィルタ構造の単純でかつ信頼性がある塗布を可能にし、またさらに、故障を受けにくく、操作し易い方法を開発することにある。
【課題を解決するための手段】
【００１０】
この問題は、以下のプロセスステップによって、少なくとも可視波長範囲の光に対して透明な基板上に光学フィルタ構造が塗布される方法によって解決される。最初に、接着剤が基板上に塗布される。その後、写真フィルムが接着剤に接触させられる。写真フィルムは、ベースフィルムおよびベースフィルム上に塗布された写真乳剤層を備え、写真乳剤層は、露光、現像、およびその後の定着によって生成される光学フィルタ構造を既に含む。写真乳剤層を担持するフィルムの面は、その後、接着剤に接触させられる。
【００１１】
接着剤は、基板のたった１つの位置で、写真フィルム全体を基板に結合させるのに十分な量で塗布されてもよい。あるいは、接着剤は、基板に結合されるフィルムの面積にほぼ等しい面積にわたって分配されてもよい。
【００１２】
次のステップでは、ローラを、ローラの指定された接触圧および指定された送り速度でフィルムを横切って移動させることによって、フィルムが基板に押し付けられるように、接着剤が、フィルムと基板との間で広げられる。こうして、接着剤、たとえば、流れ易いはちみつの粘度を有する粘性液体がゆっくり広がり、たとえばガラスであってよい基板の表面とフィルム上の写真乳剤層の両方が、広がる接着剤によって湿潤化される。
【００１３】
小さな気泡の形態で接着剤にトラップされるどんな空気も表面に拡散し、消えうるように低い送り速度を選択することが極めて重要である。接着剤が塗布される前に、もちろん、基板の表面と写真乳剤層の表面が共に、塵または他の粒子などの不純物、気泡または他の形態のトラップされた空気などのスクラッチまたは他の欠陥がないことが確かめられなければならない。その理由は、そうしなければ、フィルタ構造の光学作用が損なわれるからである。
【００１４】
ガラス板を横切るその回転移動中にローラによってフィルムに加えられる接触圧は、過度であってはならない。さもないと、弾性ベースフィルムの引張り歪および伸長が、特に大きなフィルムフォーマットに関しまた特に回転方向に生じる可能性があり、光学フィルタ構造内の一定間隔の変化をもたらし、それにより、所望の３次元効果が実質的に損なわれうる。一方、接触圧は、弱過ぎてはならない。その理由は、接着剤が一様に広がらないことになり、基板と写真乳剤層との間の接着剤層の厚さが大きくなり過ぎるからである。理想的には、接着剤層は、１０μｍと３０μｍとの間の厚さを有するべきである。
【００１５】
さらに、接触圧および送り速度は、接着剤の粘度に影響を及ぼす温度および選択された接着剤の特性の関数として確定される。ほぼ室温、すなわち約２０℃の範囲内で、発明された方法は、接触圧と送り速度が互いに整合した状態で、１ｋＰａと２０ｋＰａとの間の、すなわち、従来技術で通例的であるより実質的に低い接触圧、および、１０ｍｍ／ｓ未満、たとえば３ｍｍ／ｓの特別の選好を持って、０．５ｍｍ／ｓと２０ｍｍ／ｓとの間のローラの送り速度をより好む。これらのレベルで、または、これらの範囲内で、上記要件に関する優れた結果が達成されうる。温度が室温から逸脱する場合、述べた範囲を外れたレベルをもたらす適応が必要とされる可能性がある。
【００１６】
ローラの代わりに、本質的に同じ趣旨で剛性（非回転）シリンダまたはプレスする別の手段を使用することが可能である。これは、プレスする手段が、接触圧と同時に送り速度を与えられること、また、接触圧が、本質的に送り方向と直角のラインに沿って、または、そのラインの周りのエリア内で、おそらく（プレスする手段の形状に応じて）このラインの両側での接触圧降下を伴って加えられることを必要とする。たとえば、ルーラの形状を有してもよいスライダが使用されうる。三角形断面エリア−送り方向と平行なエリア−を有するスライダが使用されてもよく、スライダは、その平坦面の一方、または、三角形のエッジの１つ、好ましくは三角形の２つの脚部がそこで鈍角を囲むエッジに載る。シリンダまたはローラは、十分に高い接触圧が加えられることができれば、ワイヤなどの非常に小さな径を有してもよい。
【００１７】
約３ｍｍ／ｓの送り速度が、特に適することがわかった。この場合、第１に、送り速度は、適切な時間内に全エリアにわたって基板と写真乳剤層との間に接着剤を広げる、すなわち、基板上にフィルムを完全に塗布するのに依然として十分に高い。第２に、送り速度は、トラップされたどんな空気も完全に除去されることを保証するのに十分に低い。
【００１８】
次のステップでは、接着剤の硬化が、基板と写真乳剤層との間の永久的な結合を確立する。「永久的」は、温度、湿度などの極端な条件下ではなく、通常の使用条件下でのこうした接着剤結合の通常の実用寿命を意味する。接着剤が、たとえば水溶性であり、また、結合が、結合されたシステムを水中に浸漬することによって元に戻される場合、水中への浸漬が通常の使用と考えられないため、結合は、依然として永久的であると見なされる。硬化は、種々の方法で行われることができ、特に使用される接着剤と共に変わる。たとえば、フィルムが塗布された後、たとえば熱のために、自然な方法で硬化する複数成分接着剤が使用されうる。しかし、好ましい接着剤は、紫外（ＵＶ）光による照射下で硬化する液体または粘性接着剤である。ＵＶ作用下で重合する、すなわち、ポリマーを形成するようにリンクするモノマーに基づく接着剤が特に好ましい。
【００１９】
こうして作られた、結合したシステムは、時間とコスト節減が優先すべきものである場合に使用されうる。コールド積層シートが塗布されないため、従来技術と比較して、小さなユニットへのよりよい分離が可能である。ベースフィルムもまた除去される（それは、すぐには可能でない）場合、なおよい結果が、同様にフィルタ効果の精度に関して、達成されうる。
【００２０】
オプションの最後のステップでは、したがって、ベースフィルムは、熱プロセスによって写真乳剤層から分離され、除去される。温度は、一方で、写真乳剤層の本質的な構成要素を形成するゼラチン層からの残留物なしでその除去を可能にするのに十分にベースフィルムが熱くなることを保証するように選択されなければならない。他方で、ゼラチン層自体は、できる限り少なく加熱されるべきである。その理由は、ゼラチン層は、過度に熱くなる場合、ベースフィルムの除去中に破壊される可能性があるからである。
【００２１】
加熱する場合、たとえば、均等に分布した温度で熱を放射するホットプレートの形態の加熱手段が使用されうる。このホットプレートは、ベースフィルム全体の同時加熱のために使用され、熱放射ホットプレートとベースフィルムとの間の距離は、ホットプレートの温度およびベースフィルムの厚さまたはその材料の熱特性の関数として選択される。ベースフィルムは、剥離されうるレベルまで熱くなければならず、一方、主にゼラチン層からなる写真乳剤層は、所定場所にあるままである。この層は、せいぜい、非常に薄い表面ゾーンで熱くなって、ベースフィルムが剥離されるときに損傷を受けることなく、このゾーンで弾性的になってもよい。結合したシステムおよびホットプレートは、この場合、互いに対して固定位置に配列されてもよいが、両者間の相対的移動が提供されてもよい。
【００２２】
ベースフィルムの除去を容易にする本発明の好ましい実施形態では、写真乳剤層からのベースフィルムの熱分離は、ベースフィルムに向かって熱を放射する表面エリアを有し、指定された距離および指定された速度でベースフィルムを横切って誘導される加熱手段によって行われる。加熱手段は、たとえば加熱レールまたは加熱ワイヤであってよく、加熱手段は、フィルム全体を一度で照射する必要はない。加熱手段がベースフィルムを横切って移動する速度は、加熱手段の温度、加熱手段のベースフィルムからの距離、およびベースフィルムの熱特性の関数である。重要なことは、加熱手段とベースフィルムとの間の相対的移動だけであり、等価的には、加熱手段が静止し、基板が加熱手段を通過して移動してもよい。その方法が半自動でまたは完全自動で実行される場合、最後に述べたバージョンが、実際には好ましいバージョンである。その理由は、全てのプロセスステップが単一配置構成に統合され、基板が、組立てラインの途中で、対応する作業ステーションを通して搬送されうるからである。
【００２３】
ホットプレートの代わりに、赤外放射を放出する平面放射源、または、こうした種類の多くの小型放射源のアレイ、たとえば、赤外放射源のアレイが使用されうる。これは、分離についてのより高い信頼性を提供する。
【００２４】
概して１００μｍと１８０μｍとの間であるベースフィルムの分離または剥離は、いくつかの利点をもたらす。第１に、層の除去は、システムの厚さを減少させ、２次元または３次元画像のディスプレイにおいて伝送の改善、したがって、より高い輝度をもたらす。第２に、光学遷移がそこで規則的にボリューム散乱を生じる界面の除去は、コントラスト、すなわち、２次元ディスプレイの場合に重要である画像コントラストと３次元ディスプレイの場合に重要である立体視的コントラストをかなり改善し、チャネル分離に影響を及ぼす。
【００２５】
その現像と定着後に、写真乳剤層、実際にはゼラチン層は、接着剤がそれによって写真乳剤層に貫入する可能性がある孔または開口を示す。接着剤が、孔内にあまりに深く貫入する場合、これは、表面上に十分な接着剤を残さず、それにより、不良の接着ならびに気泡の包含をもたらす可能性がある。したがって、本方法の好ましい実施形態では、液体が、写真乳剤層上につけられ、写真乳剤層内にまたはその表面上に存在する孔または開口に入る。その液体は、孔を少なくとも部分的に閉じる成分を有しなければならない。たとえば通例的な浸漬オイルまたはいわゆる非ニュートンオイルが使用される場合に、これが当
てはまる。写真乳剤層は、接着剤に接触させられる前に、こうして−液体に浸漬されるかまたは液体をコーティングされることによって−処理される。
【００２６】
本方法の別の実施形態では、写真乳剤層は、ベースフィルムの除去後に、たとえば保護ワニスの保護コートを設けられるため、写真乳剤層は、攻撃的液体または鋭利なエッジのツールの作用から保護される。このために、たとえば、スクリーン印刷プロセスが使用されうる。
【００２７】
写真乳剤層上に型押しされた光学フィルタ構造は、好ましくは、３次元ディスプレイのために使用される、いわゆるバリアフィルタである。
本発明の範囲内で、上述した特徴および以下で説明される特徴は、述べた組合せでだけでなく、他の組合せでまたは個々に使用されうることが理解される。
【００２８】
以下では、本発明は、ある実施例によってまた本発明に必須の特徴も示す添付図面を参照して説明される。
【図面の簡単な説明】
【００２９】
【図１】写真フィルムが基板上に塗布される方法を示す断面図。
【図２ａ】光学フィルタ構造を示す上面図。
【図２ｂ】光学フィルタ構造を示す上面図。
【図２ｃ】光学フィルタ構造を示す上面図。
【図３】基板とフィルムとの間に塗布された接着剤の硬化を示す断面図。
【図４】ホットプレートによってベースフィルムを加熱するプロセスを示す断面図。
【図５】移動可能な加熱レールによってベースフィルムを加熱するプロセスを示す断面図。
【発明を実施するための形態】
【００３０】
以下では、少なくとも可視波長範囲の光に対して透明な基板上に光学フィルタ構造―たとえば、３次元ディスプレイ用のバリアフィルタ―が塗布される方法が述べられる。図１は、以下でさらに説明されるプロセスステップにおいて役割を果たす必須の要素を示す。基板１は、ガラスの１つであり、概して、平面で長方形の固体の形態を有する。ここで、基板１の底部面は、反射防止コーティング２を設けられる。このコーティングは、しかし、絶対に必要であるのではなく、快適な観察のために設けられるだけである。接着剤３は、基板１の上部面上に塗布される。接着剤３は、紫外光による照射下で重合し硬化するモノマーからなる粘性接着剤であってよい。
【００３１】
図１に示すプロセスステップでは、ベースフィルム４およびベースフィルム上に塗布された写真乳剤層５を備える写真フィルムは、接着剤に接触させられ、それにより、写真乳剤層５を担持するフィルム面が接着剤に接触する。光学フィルタ構造は、露光、現像、および定着によって写真乳剤層５に型押しされる。これは、フィルム上に画像形成される、適したマスクを通し露光によって達成される。こうした光学フィルタ構造の実施例は、図２ａ〜２ｃに示される。光学フィルタ構造は、一定距離に配列された、不透明−黒−フィルタ要素および透明―白―フィルタ要素からなる。
【００３２】
写真乳剤層が接着剤に接触させられる前に、液体が、写真乳剤層上に、厳密に言えば、その表面上につけられ、この液体は、写真乳剤層内に存在する任意の孔または開口に貫入し、孔または開口を少なくとも部分的に閉じる。こうして、接着剤は、あまりに深く孔に入ることを防止され、それは、さらなる処理のための利点を有する。液体は、たとえば、ある浸漬オイルであってよい。
【００３３】
接着剤３は、その後、ローラ６を、ローラ６の指定された接触圧および指定された送り速度でフィルムを横切って回転させることによって、フィルムが基板１に押し付けられるように、フィルムと基板１との間で広げられる。接触圧は、ベースフィルムを過剰伸長させる（フィルタを使用不能にする可能性があるフィルタ構造の変化をもたらしうる）ほどに高くあってはならない。その理由は、図２に示す透明フィルタ要素の距離が異なる場合、観察補助具がない状態で３次元視認性の効果がかなり損なわれるからである。好ましくは、したがって、接触圧は、周囲温度および接着剤３の粘度に応じて、１ｋＰａと２０ｋＰａとの間の範囲にある。これらの２つのパラメータを考慮して、送り速度は、選択される圧力に整合するように選択され、通常、送り速度は、周囲温度が通常室温に等しい場合、０．５ｍ／ｓと２０ｍｍ／ｓとの間の範囲になる。他の温度では、送り速度および／または圧力は、より高くてもよく、または、依然として低くてもよい。
【００３４】
圧力は、低過ぎてはならない。さもないと、接着剤３は、基板１にわたって十分に広げられないことになる。最終的には、ロールアウトした後、接着剤３の層の厚さは、ほぼ１０μｍと３０μｍとの間であるべきである。
【００３５】
次のステップでは、基板１と写真乳剤層５との間の永久的な結合が接着剤３を硬化させることによって確立される。たとえば、接着剤３が、紫外光の作用下で硬化するモノマーである場合、図３に示す接着剤３の層は、ＵＶ光源７からの光による照射によって硬化されうる。必要な露光時間は、接着剤層の厚さに依存するが、温度（理想的には２２℃であり、１０℃より著しく低く下がるべきでない）、ＵＶ光の照度、基板１の厚さ、および紫外領域におけるその吸収能力にも依存する。
【００３６】
今や、こうして作られた光学フィルタ構造を有する、結合されたシステムは、時間およびコスト節減が非常に重要である場合に、既に使用可能である。しかし、ベースフィルム４―輝度に対してマイナス効果を有する、光が貫入するために不必要な層―は、必ずしも写真乳剤層５上に残る必要はない。したがって、別のオプションのステップでは、ベースフィルム４は、写真乳剤層５から熱的に分離され、除去される。このために、ベースフィルム４は、写真乳剤層５がベースフィルム４から剥離されることを可能にするレベルまで加熱されなければならない。しかし、同様に写真乳剤層５が完全に加熱されることになるため、ベースフィルム４が熱くなり過ぎないという配慮がなされなければならない。その結果、ベースフィルム４を除去しようとして、写真乳剤層５が破壊されることになりうる。たとえば、過度の加熱は、接着剤層３からも写真乳剤層５が剥離することをもたらし、接着剤層３上に、一部の残留物だけが残ることになる。
【００３７】
ベースフィルム４と写真乳剤層５の有効な分離を可能にする２つの手順が、図４および５に示される。
図４は、ベースフィルム４のエリア全体がホットプレート８によって加熱される方法を示す。ホットプレート８は、下を指す肉太の矢印で示すように、ベースフィルム４に向かって熱を下に放射する。ホットプレートの距離およびその温度ならびに加熱の継続時間は、ベースフィルム４自体が十分に加熱されるように、ベースフィルム４の厚さの関数として選択され、一方、ベースフィルム４に下で付着する写真乳剤層５は、加熱することによって生じるその弾性状態が、写真乳剤層５自体の破断をもたらさないように、せいぜい、表面に近い非常に薄いゾーンで熱くなる。これは、写真乳剤層５の表面を指す小さな矢印で示される。
【００３８】
加熱がよりよく制御されうる別の方法が図５に示される。ここで、ベースフィルム４と写真乳剤層５の熱分離のために、ベースフィルム４に向かって熱を放射するエリアを有する加熱レール９として設計された加熱手段が、指定された距離および指定された速度でベースフィルム４を横切って移動される。加熱レールの代わりに、加熱ワイヤまたは同様な
加熱手段が使用されてもよく、また、ベースフィルムを通過して加熱手段を移動させる代わりに、結合したシステムを、静止加熱レール９を通過して移動させることも可能である。図５に示し、また、加熱レール９から右を指す矢印で示すように、ベースフィルム４と加熱レール９との間で相対的移動が起こることが重要であるだけである。ここで再び、送り速度は、ベースフィルム４が加熱されるように、先に述べたパラメータの関数として選択され、一方、ベースフィルム４の下の写真乳剤層５は、せいぜい表面に近い薄いゾーンで加熱される。全ての他の条件が一定であれば、速度を制御することによって、簡単な方法で、最適温度レジメンが設定されることができるため、加熱レール９がベースフィルム４上の特定の位置を通過した直後に、ベースフィルム４は、ベースフィルム４から垂直方向に上を指す矢印で示すように、上に引張ることによって、加熱レール９の背後で剥離されうる。
【００３９】
結果として、従来技術で使用されるコールド積層シートなしで、また、ベースフィルム４がコールド積層シートに結合されることなく、３次元ディスプレイ用の、ガラス上の光学フィルタ、たとえばバリアフィルタが得られる。最後に、基板１は、約１０μｍと３０μｍとの間の厚さを有する薄くしっかり硬化した接着剤コーティングだけを担持し、その接着剤コーティングに対して、写真乳剤層５が、写真乳剤層５に光学フィルタ構造が型押しされた状態で付着する。湾曲した接着剤３に対するこの付着力は、写真乳剤層５とベースフィルム４との間に以前に存在した付着力に少なくとも等しくなる。いずれにしても、この付着力は、鋭利エッジのオブジェクトが写真乳剤層５に対して使用されない限り、ワイピングプルーフ性がありかつスクラッチプルーフ性がある。ベースフィルム４の除去後に、写真乳剤層５が、スクリーン印刷プロセスによって塗布されてもよい特定の保護層、たとえば特別のコートワニスを設けられる場合、フィルタ構造は、鋭利エッジまたは攻撃的液体の影響からさらに保護されうる。
【００４０】
こうして作製された光学フィルタは、たとえばガラスカッタによって、従来技術で可能であるより実質的に高い容易さおよび信頼性を持って分割されうる。したがって、破断および損傷のリスクがかなり低減される。さらに、ベースフィルムが除去された状態で、２次元および３次元のディスプレイの場合に共に、コントラストが実質的に改善される。
【符号の説明】
【００４１】
１…基板、２…反射防止コーティング、３…接着剤、４…ベースフィルム、５…写真乳剤層、６…ローラ、７…ＵＶ光源、８…ホットプレート、９…加熱レール。
【図１】
2012526294.tif 000003
【図２ａ】
2012526294.tif 000004
【図２ｂ】
2012526294.tif 000005
【図２ｃ】
2012526294.tif 000006
【図３】
2012526294.tif 000007
【図４】
2012526294.tif 000008
【図５】
2012526294.tif 000009
【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
少なくとも可視波長範囲の光に対して透明な基板（１）上に光学フィルタ構造を塗布するための方法において、
接着剤（３）を前記基板（１）上に塗布する工程と、
写真フィルムであって、ベースフィルム（４）およびベースフィルム（４）上に塗布された写真乳剤層（５）を備え、かつ、前記光学フィルタ構造が、露光、現像、および定着によって前記写真乳剤層（５）に型押しされている、写真フィルムを、前記接着剤（３）に接触させ、それにより、前記接着剤が、前記写真乳剤層（５）を担持する前記フィルムの面に接触する、前記写真フィルムを前記接着剤（３）に接触させる工程と、
ローラ（６）の指定された接触圧および指定された送り速度で前記ローラ（６）を前記フィルムを横切る方式にて回転させることによって、前記フィルムが前記基板（１）に押し付けられるように、前記接着剤（３）を、前記フィルムと前記基板（１）との間に伸ばす、前記ローラ（６）を回転させる工程と、
前記基板（１）と前記写真乳剤層（５）との間の永久的な結合を与えるために、前記接着剤（３）の硬化する工程とを備える、方法。
【請求項２】
前記ベースフィルム（４）は、前記硬化後に、前記写真乳剤層（５）から熱的に分離され、除去される、請求項１に記載の方法。
【請求項３】
前記ベースフィルム（４）および前記写真乳剤層（５）の前記熱分離のために、前記ベースフィルム（４）に向かって熱を放射する表面を有する加熱手段が、指定された距離でかつ指定された速度で前記ベースフィルム（４）を横切って移動する、請求項２に記載の方法。
【請求項４】
前記写真乳剤層（５）は、前記ベースフィルム（４）の除去後に、保護コーティングを備える、請求項２または３のいずれか１項に記載の方法。
【請求項５】
前記ローラ（６）は、０．５ｍｍ／ｓと２０ｍｍ／ｓとの間の送り速度で移動する、請求項１〜４のいずれか１項に記載の方法。
【請求項６】
前記接触圧は、１ｋＰａと２０ｋＰａとの間で選択される、請求項１〜５のいずれか１項に記載の方法。
【請求項７】
前記写真フィルムが前記接着剤（３）に接触させられる前に、液体が前記写真乳剤層（５）上にかけられ、前記写真乳剤層（５）内に存在する孔または開口に貫入し、前記孔または開口を少なくとも部分的に閉じる、請求項１〜６のいずれか１項に記載の方法。
【請求項８】
使用される前記液体は浸漬油である、請求項７に記載の方法。
【請求項９】
使用される前記接着剤（３）は、ＵＶ光による照射下で硬化する接着剤である、請求項１〜８のいずれか１項に記載の方法。
【請求項１０】
使用される前記光学フィルタ構造は３次元ディスプレイ用のバリアフィルタである、請求項１〜９のいずれか１項に記載の方法。
【国際調査報告】
2012526294.tif 000010
2012526294.tif 000011
2012526294.tif 000012
2012526294.tif 000013